(57)【特許請求の範囲】
【請求項１】
複数のウィンドウのそれぞれに１個ずつ設けられたモーターの駆動力によって、当該複数のウィンドウを開閉するパワーウィンドウの駆動装置であって、
前記各モーターに１個ずつ設けられ、当該モーターを正逆両方向に駆動及び停止させる駆動手段と、
前記各モーターに１個ずつ設けられ、当該モーターの駆動電流を検出する電流検出手段と、
全てのウィンドウの同時開閉を指示する１個のスイッチと、
前記スイッチからの信号を受け、前記各駆動手段を介して前記各モーターの駆動を制御する１個の制御手段と、
前記各ウィンドウに１個ずつ設けられ、当該ウィンドウの上端の位置を検出する位置検出手段と
を備え、
前記制御手段は、
前記位置検出手段の出力値に基づいて、ウィンドウの開き具合によって順序づけを決定し、
前記スイッチの入力後に、異なる遅延時間を設けて、最も空いているウィンドウから順に前記駆動手段を介して前記各モーターを順次駆動させるものであり、
前記異なる遅延時間を、前記各ウィンドウの始動時における前記各電流検出手段の検出値のピークが互いに重ならないだけの長さとして、所定期間、複数のモータを同時駆動させること
を特徴とするパワーウィンドウ駆動装置。
【請求項２】
複数のウィンドウのそれぞれに１個ずつ設けられたモーターの駆動力によって、当該複数のウィンドウを開閉するパワーウィンドウの駆動装置であって、
前記各モーターに１個ずつ設けられ、当該モーターを正逆両方向に駆動及び停止させる駆動手段と、
前記各モーターに１個ずつ設けられ、当該モーターの駆動電流を検出する電流検出手段と、
全てのウィンドウの同時開閉を指示する１個のスイッチと、
前記スイッチからの信号を受け、前記駆動手段を介して前記各モーターの駆動を制御する制御手段と、
前記各ウィンドウに１個ずつ設けられ、当該ウィンドウの上端の位置を検出する位置検出手段と
を備え、
前記制御手段は、
前記各位置検出手段の出力値を入力し、前記各ウィンドウ上端が全閉位置近傍の所定の位置に達したときに、前記駆動手段を介して前記各モーターを停止させることにより前記各ウィンドウを一旦停止し、その後異なる遅延時間を設けて、前記駆動手段を制御して前記各モーターを順次駆動させるものであり、
前記異なる遅延時間を、前記各ウィンドウのロック時における前記各電流検出手段の検出値のピークが互いに重ならないだけの長さとすること
を特徴とするパワーウィンドウ駆動装置。
【請求項３】
複数のウィンドウのそれぞれに１個ずつ設けられたモーターの駆動力によって、当該複数のウィンドウを開閉するパワーウィンドウの駆動装置であって、
前記各モーターに１個ずつ設けられ、当該モーターを正逆両方向に駆動及び停止させる駆動手段と、
前記各モーターに１個ずつ設けられ、当該モーターの駆動電流を検出する電流検出手段と、
全てのウィンドウの同時開閉を指示する１個のスイッチと、
前記スイッチからの信号を受け、前記駆動手段を介して前記各モーターの駆動を制御する制御手段と、
前記各ウィンドウに１個ずつ設けられ、当該ウィンドウの上端の位置を検出する位置検出手段と
を備え、
前記制御手段は、
前記スイッチの入力後に異なる第１の遅延時間を設けて、前記駆動手段を介して前記各モーターを順次駆動させると共に、
前記各位置検出手段の出力値を入力し、前記各ウィンドウ上端が全閉位置近傍の所定の位置に達したときに、前記駆動手段を介して前記各モーターを停止させることにより前記各ウィンドウを一旦停止し、その後異なる第２の遅延時間を設けて、前記駆動手段を制御して前記各モーターを順次駆動させるものであり、
前記異なる第１の遅延時間を、前記各ウィンドウの始動時における前記各電流検出手段の検出値のピークが互いに重ならないだけの長さとし、
前記異なる第２の遅延時間を、前記各ウィンドウのロック時における前記各電流検出手段の検出値のピークが互いに重ならないだけの長さとすること
を特徴とするパワーウィンドウ駆動装置。
【発明の詳細な説明】
【０００１】
【産業上の利用分野】
本発明は、モーターの駆動力によって複数のウィンドウの開閉を行うパワーウィンドウの駆動装置に関し、特に、ウィンドウの始動時及びロック時において、互いに異なる遅延時間を設けて各ウィンドウを駆動させるパワーウィンドウの駆動装置に関する。
【０００２】
【従来の技術】
従来、例えば、車両に用いられるパワーウィンドウでは、複数のウィンドウを同時に駆動させる構成としたものが望まれている。
しかし、複数のウィンドウを同時に駆動させるには、複数のモーターを同時に駆動させる必要があるため、一度に大きな電流が流れる。特に、モーターの始動時やウィンドウのロック時には、モーターに作用するトルクが増大するために要求される電流量も大きく、そのために配線、ヒューズ等の大容量化が必要となり、ワイヤーハーネスの重量アップやコストアップを生じるという問題があった。
【０００３】
そこで、このような問題の解決策としては、特開平１−１９２９８０号に見られるように、各ウィンドウの動作状態を監視し、まず第１のウィンドウを駆動させ、ロックを行い、その第１のウィンドウのロック完了後に、第２のウィンドウを駆動させ、第２のウィンドウをロックさせるという構成とした装置が知られている。
【０００４】
【発明が解決しようとする課題】
しかしながら、上記構成では、ウィンドウの駆動及びロックが１枚ずつ行われるために、全てのウィンドウがロック完了するまでに多くの時間を要し、使い勝手がよくないという問題がある。
【０００５】
従って、本発明の目的は、複数のウィンドウを短時間で略同時に開閉、駆動させるパワーウィンドウ駆動装置を提供することである。
【０００６】
【課題を解決するための手段】
上記の課題を解決するため、本発明の構成は、複数のウィンドウのそれぞれに１個ずつ設けられたモーターの駆動力によって、当該複数のウィンドウを開閉するパワーウィンドウの駆動装置であって、各モーターに１個ずつ設けられ、当該モーターを正逆両方向に駆動及び停止させる駆動手段と、各モーターに１個ずつ設けられ、当該モーターの駆動電流を検出する電流検出手段と、全てのウィンドウの同時開閉を指示する１個のスイッチと、このスイッチからの信号を受け、各駆動手段を介して各モーターの駆動を制御する１個の制御手段と、各ウィンドウに１個ずつ設けられ、当該ウィンドウの上端の位置を検出する位置検出手段とを備え、制御手段は、位置検出手段の出力値に基づいて、ウィンドウの開き具合によって順序づけを決定し、スイッチの入力後に、異なる遅延時間を設けて、最も開いているウインドウから順に駆動手段を介して各モーターを順次駆動させるものであり、前記異なる遅延時間を、各ウィンドウの始動時における各電流検出手段の検出値のピークが互いに重ならないだけの長さとして、、所定期間、複数のモータを同時駆動させることを特徴とする。
【０００７】
また、第二の発明の構成は、複数のウィンドウのそれぞれに１個ずつ設けられたモーターの駆動力によって、当該複数のウィンドウを開閉するパワーウィンドウの駆動装置であって、各モーターに１個ずつ設けられ、当該モーターを正逆両方向に駆動及び停止させる駆動手段と、各モーターに１個ずつ設けられ、当該モーターの駆動電流を検出する電流検出手段と、全てのウィンドウの同時開閉を指示する１個のスイッチと、このスイッチからの信号を受け、駆動手段を介して各モーターの駆動を制御する制御手段と、各ウィンドウに１個ずつ設けられ、当該ウィンドウの上端の位置を検出する位置検出手段とを備え、制御手段は、各位置検出手段の出力値を入力し、各ウィンドウ上端が全閉位置近傍の所定の位置に達したときに、駆動手段を介して各モーターを停止させることにより各ウィンドウを一旦停止し、その後異なる遅延時間を設けて、駆動手段を制御して各モーターを順次駆動させるものであり、前記異なる遅延時間を、各ウィンドウのロック時における各電流検出手段の検出値のピークが互いに重ならないだけの長さとすることを特徴とする。
【０００８】
第三の発明の構成は、複数のウィンドウのそれぞれに１個ずつ設けられたモーターの駆動力によって、当該複数のウィンドウを開閉するパワーウィンドウの駆動装置であって、各モーターに１個ずつ設けられ、当該モーターを正逆両方向に駆動及び停止させる駆動手段と、各モーターに１個ずつ設けられ、当該モーターの駆動電流を検出する電流検出手段と、全てのウィンドウの同時開閉を指示する１個のスイッチと、このスイッチからの信号を受け、駆動手段を介して各モーターの駆動を制御する制御手段と、各ウィンドウに１個ずつ設けられ、当該ウィンドウの上端の位置を検出する複数の位置検出手段とを備え、制御手段は、スイッチの信号入力後に異なる第１の遅延時間を設けて、駆動手段を介し各モーターを順次駆動させると共に、各位置検出手段の出力値を入力し、各ウィンドウ上端が全閉位置近傍の所定の位置に達したときに、駆動手段を介して各モーターを停止させることにより各ウィンドウを一旦停止し、その後異なる第２の遅延時間を設けて、駆動手段を制御して各モーターを順次駆動させるものであり、異なる第１の遅延時間を、各ウィンドウの始動時における各電流検出手段の検出値のピークが互いに重ならないだけの長さとし、異なる第２の遅延時間を、各ウィンドウのロック時における各電流検出手段の検出値のピークが互いに重ならないだけの長さとすることを特徴とする。
【０００９】
【作用及び効果】
第一の作用は、各ウィンドウの始動時において、制御手段はスイッチの信号入力後に各モーターの駆動電流のピーク値が互いに重ならないだけの異なる遅延時間を設けて駆動手段を制御して各モーターを順次駆動させることであり、その効果は、パワーウィンドウの駆動装置を大容量化することなく、各ウィンドウの駆動の遅れを２００ｍｓ程度に抑えることができ、ほぼ同時に複数のモーターを駆動させ、ウィンドウを始動させることができる。（請求項１、請求項３）また、各ウィンドウ上端の位置を検出する複数の位置検出手段により、最も開いているウインドウから駆動させ、所定期間、複数のモータを同時駆動させるので駆動時間をより短縮することができる。（請求項１）
【００１０】
第二の作用は、各ウィンドウの全閉位置近傍の所定の位置に達した以降において、制御手段は各位置検出手段の出力値を入力し、各ウィンドウ上端が全閉位置近傍の所定の位置に達したときに、各ウィンドウを一旦停止し、その後各モーターの駆動電流のピーク値が互いに重ならないだけの異なる遅延時間を設けて、駆動手段を制御して各モーターを駆動させることであり、その効果は、パワーウィンドウの駆動装置を大容量化することなく、ほぼ同時に複数のウィンドウをロックさせることができる。（請求項２、請求項３）
【００１１】
【実施例】
以下、本発明を具体的な実施例に基づいて説明する。
図１は、本発明の第一実施例の構成を示したものであり、パワーウィンドウ駆動装置１０は、全てのウィンドウＡ’〜Ｄ’（図示せず）の同時アップ或いは同時ダウンを指示する信号を発するオートスイッチ１と、４つのウィンドウＡ’〜Ｄ’に装置Ａ〜Ｄを有している。これら装置のうち、一例として装置Ｃに設けられたウィンドウＣ’の駆動についての構成を以下に説明する。
【００１２】
ウィンドウＣ’を駆動させるパワーウィンドウモーター４、パワーウィンドウモーター４に電流を供給するバッテリー＋Ｂ、導通することによってパワーウィンドウモーター４にバッテリー＋Ｂから電流を供給するリレー３（駆動手段に相当）、マイクロコンピュータから構成されリレー３の導通を制御する制御回路２（制御手段に相当）、パワーウィンドウモーター４の駆動電流を検出する電流検出抵抗５（電流検出手段に相当）、ウィンドウＣ’の位置を検出するためにパワーウィンドウモーター４の回転数に応じた出力を行うホールセンサー６（位置検出手段に相当）から構成される。また、他の装置も同様の構成である。
【００１３】
次に、各ウィンドウＡ’〜Ｄ’の始動時の制御について説明する。
オートスイッチ１からアップ或いはダウンの信号が各ウィンドウＡ’〜Ｄ’の制御回路２に入力されると、各制御回路２はそれぞれ異なる遅延時間を設けてリレー３を導通させる。このとき、各ウィンドウＡ’〜Ｄ’の駆動順序を予め設定しておき、例えば、ウィンドウＡ’、ウィンドウＢ’、ウィンドウＣ’、ウィンドウＤ’の順に駆動させるとする。
【００１４】
ここで、電流検出抵抗５にて検出した各ウィンドウＡ’〜Ｄ’におけるそれぞれのパワーウィンドウモーター４の駆動電流の時間的推移を図２に示すが、オートスイッチ１から信号が制御回路２に出力されると、まずウィンドウＡ’が即時に、即ち、図中の時間ｔ0 にて駆動される。
ウィンドウＡ’が駆動されると、ウィンドウＡ’を駆動させるパワーウィンドウモーター４の駆動電流はその立ち上げ時にピークを示すが、その後、減少し安定する。
【００１５】
ウィンドウＡ’を駆動させるパワーウィンドウモーター４の駆動電流がピークを過ぎた時点で、即ち、時間ｔ1 にてウィンドウＢ’の駆動を開始する。
ウィンドウＢ’の場合も、ウィンドウＢ’を駆動させるパワーウィンドウモーター４の駆動電流は立ち上げ時にピークを示すが、その後減少して安定するので、ピーク値を過ぎた時点で、即ち、時間ｔ2 にてウィンドウＣ’の駆動を開始する。
同様に、ウィンドウＣ’を駆動させるパワーウィンドウモーター４の駆動電流がピークを過ぎた時点で、即ち、時間ｔ3 にてウィンドウＤ’の駆動を開始する。
【００１６】
上記に示される方法にて各ウィンドウＡ’〜Ｄ’を駆動させることにより、各ウィンドウＡ’〜Ｄ’を駆動させるパワーウィンドウモーター４の駆動電流のピーク値が互いに重なることがないため、一度に多くの電流を要することがなく、また、各ウィンドウＡ’〜Ｄ’の駆動開始の時間差は、２００ｍｓ程度であるため、４つのウィンドウＡ’〜Ｄ’をほぼ同時に駆動させることができ、従来装置に比べて、駆動装置を大容量化することなく、より短時間に複数のウィンドウを駆動することができる。
【００１７】
続いて、各ウィンドウＡ’〜Ｄ’のロック時の制御について説明する。
各ウィンドウＡ’〜Ｄ’に対応するそれぞれの制御回路２は、パワーウィンドウモーター４の回転数に応じたパルスをカウントし、各ウィンドウＡ’〜Ｄ’の上端位置を検出する。
【００１８】
各ウィンドウＡ’〜Ｄ’が全閉位置近傍の所定の位置に達したとき、それぞれの制御回路２はリレー３を非導通とし、それぞれのパワーウィンドウモーター４への電流供給を停止する。
これにより、各パワーウィンドウモーター４は駆動停止し、各ウィンドウＡ’〜Ｄ’は所定の位置で一旦停止となる。
【００１９】
その後、最後に始動したドアが全閉に要する時間以上の経過後、即ち、全てのウィンドウＡ’〜Ｄ’が全開位置から全閉位置近傍の所定の位置に到達できる時間ｔ8 の後（通常５秒程度）、各制御回路２は、各パワーウィンドウモーター４の駆動電流のピーク値が重ならないように異なる遅延時間を設け、予め定められた順序にて各ウィンドウＡ’〜Ｄ’のロック動作の制御を行う。
【００２０】
例えば、ロック動作をウィンドウＡ’、ウィンドウＢ’、ウィンドウＣ’、ウィンドウＤ’の順に行うとすれば、ウィンドウＡ’が時間ｔ9 にロック動作を開始し、時間ｔ10にロック動作を完了したとすると、ウィンドウＢ’はウィンドウＡ’がロック動作を完了した時間ｔ10の後の時間ｔ11からロック動作を開始する。同様に、ウィンドウＣ’はウィンドウＢ’がロック動作を完了した時間ｔ12の後の時間ｔ13からロック動作を開始し、ウィンドウＤ’も同様に行う。
【００２１】
上記に示される方法にて各ウィンドウＡ’〜Ｄ’のロック動作を行うことにより、各ウィンドウＡ’〜Ｄ’をロックさせるパワーウィンドウモーター４の駆動電流のピーク値が重なることがないため、一度に多くの電流を要することがなく、４つのウィンドウＡ’〜Ｄ’をほぼ同時に駆動させることができ、従来装置に比べて、装置を大容量化することなく、より短時間に複数のウィンドウを駆動することができる。
【００２２】
次に、第二実施例について図３を用いて説明する。
第一実施例との違いは、第一実施例では各ウィンドウＡ’〜Ｄ’毎に制御回路２を設ける構成としたが、第二実施例では１つの制御回路２によって全てのウィンドウＡ’〜Ｄ’の制御を行ものであり、第一実施例に比べてよりコンパクトな構成とした点である。
【００２３】
各ウィンドウＡ’〜Ｄ’の駆動時の制御において、第一実施例では予め設定された順序で駆動させる構成としたが、本実施例では、ホールセンサー６の検出値を読み取り、最も開いているウィンドウから、即ち、動作時間を要するウィンドウから駆動させることにより、ウィンドウＡ’〜Ｄ’の駆動時間を第一実施例に比べて、より短縮することができる。
【００２４】
また、各ウィンドウＡ’〜Ｄ’のロック時の制御においては、第一実施例では最後に駆動させたウィンドウが全閉に要する時間（約５秒）の後、即ち、時間ｔ8 の後にロック動作を開始する構成としたが、本実施例では最後のウィンドウが全閉位置近傍の所定の位置に達した後、即ち、時間ｔ7 の後に各ウィンドウＡ’〜Ｄ’のロック動作を行うことができるため、第一実施例に比べてウィンドウＡ’〜Ｄ’のロック動作時間をより短縮することができる。
【００２５】
尚、オートスイッチ１からの信号入力時に、既にウィンドウが全閉位置近傍の所定の位置に達している場合、或いは、ロック状態にある場合は、制御回路２はそのウィンドウのロック動作のみ行う。
例えば、ウィンドウＡ’が全閉位置近傍の所定の位置に達している場合、或いは、ロック状態にあるとき、制御回路２は時間ｔ4 からのロック動作のみ行えばよい。
【００２６】
各ウィンドウＡ’〜Ｄ’のロック動作の完了は、予めロック動作時にパワーウィンドウモーター４に流れる電流値を把握しておき、制御回路２は電流検出抵抗５を用いてパワーウィンドウモーター４の駆動電流を検出し、ロック動作時に流れる電流値がパワーウィンドウモーター４に流れているか否かを確認した後、リレー３を非導通とすることにより行われる。
【００２７】
上記第一実施例及び第二実施例において、パワーウィンドウモーター４の始動時に、その駆動電流のピークが互いに重ならないように異なる遅延時間を設けて始動させる構成としたが、４つのパワーウィンドウモーター４のうち、いずれか２つの駆動電流のピーク値が重なってもよい。
【００２８】
また、ウィンドウＡ’〜Ｄ’のロック動作時において、各パワーウィンドウモーター４に流れる電流値のピーク値が互いに重ならない構成としたが、最初に全閉位置近傍の所定の位置に達したウィンドウは、他のウィンドウが全閉位置近傍の所定の位置に達していない場合であっても、ロック動作を行ってもよい。
本実施例では、４つのウィンドウＡ’〜Ｄ’で構成するシステムを示したが、２つの以上の複数のウィンドウであれば十分に効果がある。
【００２９】
上記に示されるように、本発明によれば、複数のウィンドウを始動させる時、それぞれのウィンドウに対応するパワーウィンドウモーター４の駆動電流のピーク値が互いに重ならないだけの異なる遅延時間を設けてパワーウィンドウモーター４を始動させる構成とすることにより、従来のように１枚ずつ駆動させる装置に比べて、駆動装置を大容量化することなく、複数のウィンドウをほぼ同時に始動させることができる。
また、ウィンドウのロック時においても、各パワーウィンドウモーター４の駆動電流のピーク値が互いに重ならないだけの異なる遅延時間を設けてロック動作を行うことにより、複数のウィンドウをほぼ同時にロックさせることができる。
よって、複数のウィンドウをほぼ同時に始動及びロックさせることができ、従来例に比較して大幅にウィンドウの駆動時間を短縮することができる。
【図面の簡単な説明】
【図１】本発明に係わる第一実施例の構成を示した構造図。
【図２】第一実施例におけるパワーウィンドウモーターの駆動電流の時間推移を示す模式図。
【図３】本発明に係わる第二実施例の構成を示した構造図。
【符号の説明】
１    オートスイッチ
２    制御回路（制御手段）
３    リレー（駆動手段）
４    パワーウィンドウモーター
５    電流検出抵抗（電流検出手段）
６    ホールセンサー（位置検出手段）
１０  パワーウィンドウ駆動装置
【図１】
0003598556.tif 000002
【図２】
0003598556.tif 000003
【図３】
0003598556.tif 000004